(57)【要約】  対応する方法及びコンピュータ可読媒体を有する装置は、複数の周波数領域の１つを選択するように構成されるコントローラと、コントローラによって選択された複数の周波数領域の１つ内の第１の無線信号を、第１のプロトコルに従って送信するように構成されるトランスミッタであって、各周波数領域は、トランスミッタがそれぞれの周波数領域内の第１の無線信号を送信するのに応答して生成される不要な干渉のそれぞれのタイプによって特徴づけられる、トランスミッタと、を含む第１のトランシーバと、コントローラによって選択された複数の周波数領域の１つに基づいて１つ以上の周波数チャネルを選択するように構成されるアービタと、アービタによって選択された１つ以上の周波数チャネル内のみの第２の無線信号を、第２のプロトコルに従って送受信するように構成される第２のトランシーバと、を含む。【選択図】図１
2014527380.tif 000002
【特許請求の範囲】
【請求項１】
複数の周波数領域の１つを選択するように構成されるコントローラと、
前記コントローラによって選択された前記複数の周波数領域の前記１つ内の第１の無線信号を、第１のプロトコルに従って送信するように構成されるトランスミッタであって、各周波数領域は、前記トランスミッタがそれぞれの周波数領域内の前記第１の無線信号を送信するのに応答して生成される不要な干渉のそれぞれのタイプによって特徴づけられる、トランスミッタと、
を備える第１のトランシーバと、
前記コントローラによって選択された前記複数の周波数領域の前記１つに基づいて、１つ以上の周波数チャネルを選択するように構成されるアービタと、
前記アービタによって選択された前記１つ以上の周波数チャネル内のみの第２の無線信号を、第２のプロトコルに従って送受信するように構成される第２のトランシーバと、
を備える装置。
【請求項２】
前記第１のプロトコルはモバイル無線規格（ＭＷＳ）プロトコルであり、
前記第２のプロトコルは工業・科学・医療（ＩＳＭ）帯域プロトコルである、
請求項１に記載の装置。
【請求項３】
前記第１のプロトコルは工業・科学・医療（ＩＳＭ）帯域プロトコルであり、
前記第２のプロトコルはモバイル無線規格（ＭＷＳ）プロトコルである、
請求項１に記載の装置。
【請求項４】
前記第１のプロトコル及び前記第２のプロトコルの各々は工業・科学・医療（ＩＳＭ）帯域プロトコルである、
請求項１に記載の装置。
【請求項５】
前記コントローラは、前記コントローラによって選択された前記複数の周波数領域の前記１つを示す情報信号を提供するように更に構成され、
前記アービタは、前記コントローラによって提供された前記情報信号に基づいて、前記１つ以上の周波数チャネルを選択するように更に構成される、
請求項１に記載の装置。
【請求項６】
前記不要な干渉のタイプは、
スプリアス放射と、
帯域外放射と、
を備える、請求項１に記載の装置。
【請求項７】
請求項１に記載の装置を備える１つ以上の集積回路。
【請求項８】
請求項１に記載の装置を備える電子通信デバイス。
【請求項９】
電子デバイスのための方法であって、
複数の周波数領域の１つを選択するステップであって、各周波数領域は、前記電子デバイスがそれぞれの周波数領域内の第１の無線信号を送信するのに応答して生成される不要な干渉のそれぞれのタイプによって特徴づけられる、ステップと、
前記複数の周波数領域の前記１つ内の前記第１の無線信号を、第１のプロトコルに従って送信するステップと、
前記コントローラによって選択された前記複数の周波数領域の前記１つに基づいて、１つ以上の周波数チャネルを選択するステップと、
前記１つ以上の周波数チャネル内のみの第２の無線信号を、第２のプロトコルに従って送受信するステップと、
を備える方法。
【請求項１０】
前記第１のプロトコルはモバイル無線規格（ＭＷＳ）プロトコルであり、
前記第２のプロトコルは工業・科学・医療（ＩＳＭ）帯域プロトコルである、
請求項９に記載の方法。
【請求項１１】
前記第１のプロトコルは工業・科学・医療（ＩＳＭ）帯域プロトコルであり、
前記第２のプロトコルはモバイル無線規格（ＭＷＳ）プロトコルである、
請求項９に記載の方法。
【請求項１２】
前記第１のプロトコル及び前記第２のプロトコルの各々は工業・科学・医療（ＩＳＭ）帯域プロトコルである、
請求項９に記載の方法。
【請求項１３】
前記複数の周波数領域の前記１つを示す情報信号を提供するステップと、
前記情報信号に基づいて、前記１つ以上の周波数チャネルを選択するステップと、
を更に備える、請求項９に記載の方法。
【請求項１４】
前記不要な干渉のタイプは、
スプリアス放射と、
帯域外放射と、
を備える、請求項９に記載の方法。
【請求項１５】
電子デバイス内のコンピュータによって実行可能な命令を具現化するコンピュータ可読媒体であって、前記命令は
複数の周波数領域の１つを選択するステップであって、各周波数領域は、前記電子デバイスがそれぞれの周波数領域内の第１の無線信号を送信するのに応答して生成される不要な干渉のそれぞれのタイプによって特徴づけられる、ステップと、
前記複数の周波数領域の前記１つ内の前記第１の無線信号を、第１のプロトコルに従って送信するステップと、
前記コントローラによって選択された前記複数の周波数領域の前記１つに基づいて、１つ以上の周波数チャネルを選択するステップと、
前記１つ以上の周波数チャネル内のみの第２の無線信号を、第２のプロトコルに従って送受信するステップと、
を備える機能を実行する、コンピュータ可読媒体。
【請求項１６】
前記第１のプロトコルはモバイル無線規格（ＭＷＳ）プロトコルであり、
前記第２のプロトコルは工業・科学・医療（ＩＳＭ）帯域プロトコルである、
請求項１５に記載のコンピュータ可読媒体。
【請求項１７】
前記第１のプロトコルは工業・科学・医療（ＩＳＭ）帯域プロトコルであり、
前記第２のプロトコルはモバイル無線規格（ＭＷＳ）プロトコルである、
請求項１５に記載のコンピュータ可読媒体。
【請求項１８】
前記第１のプロトコル及び前記第２のプロトコルの各々は工業・科学・医療（ＩＳＭ）帯域プロトコルである、
請求項１５に記載のコンピュータ可読媒体。
【請求項１９】
前記機能は、
前記複数の周波数領域の前記１つを示す情報信号を提供するステップと、
前記情報信号に基づいて、前記１つ以上の周波数チャネルを選択するステップと、
を更に備える、請求項１５に記載のコンピュータ可読媒体。
【請求項２０】
前記不要な干渉のタイプは、
スプリアス放射と、
帯域外放射と、
を備える、請求項１５に記載のコンピュータ可読媒体。
【発明の詳細な説明】
【技術分野】
【０００１】
関連出願の相互参照
本開示は、２０１２年９月１２日に出願された「複数の無線通信技術の共存のための、不要な干渉のタイプによって特徴づけられる周波数帯域の使用（Ｕｓｉｎｇ  Ｆｒｅｑｕｅｎｃｙ  Ｂａｎｄｓ  Ｃｈａｒａｃｔｅｒｉｚｅｄ  ｂｙ  Ｔｙｐｅ  ｏｆ  Ｕｎｗａｎｔｅｄ  Ｉｎｔｅｒｆｅｒｅｎｃｅ  ｆｏｒ  Ｃｏｅｘｉｓｔｅｎｃｅ  Ａｍｏｎｇ  Ｍｕｌｔｉｐｌｅ  Ｗｉｒｅｌｅｓｓ  Ｃｏｍｍｕｎｉｃａｔｉｏｎ  Ｔｅｃｈｎｏｌｏｇｉｅｓ」と題する米国実用特許出願第１３／６１１、１７４号の優先権を主張し、２０１１年９月１４日に出願された「デバイス内共存干渉回避のための周波数動作指標（Ｆｒｅｑｕｅｎｃｙ  Ｏｐｅｒａｔｉｏｎ  Ｉｎｄｉｃａｔｉｏｎ  ｆｏｒ  Ｉｎ−ｄｅｖｉｃｅ  Ｃｏ−ｅｘｉｓｔｅｎｃｅ  Ｉｎｔｅｒｆｅｒｅｎｃｅ  Ａｖｏｉｄａｎｃｅ、）」と題する米国仮特許出願第６１／５３４、６７５号の利益を主張するものであり、それらの開示の全体が参照により本明細書に組み込まれる。
【０００２】
本開示は、概ね、無線通信の分野に関する。より具体的には、本開示は、隣接または重複する周波数帯域を使用する異なる無線通信技術間の干渉の回避に関する。
【背景技術】
【０００３】
携帯機器プラットフォーム向けの複数の無線技術の普及は、単一の無線通信デバイス上に複数の無線通信技術を統合する必要性を生み出した。しかしながら、これらの技術の幾つかの周波数帯域は、十分近いために干渉をもたらす。例えば、免許不要の２．４ＧＨｚの工業・科学・医療（ＩＳＭ:Industrial, Scientific and Medical）周波数帯域は、モバイル無線規格（ＭＷＳ:Mobile Wireless Standard）技術によって使用される周波数帯域の幾つかに隣接しているために隣接チャネル干渉をもたらす。スマートフォンのような多くの電子デバイスにおいて、ＩＳＭ及びＭＷＳの両方の技術は同一のデバイスに実装されている。例えば、スマートフォンは、通話用にＬＴＥ（ロング・ターム・エボリューション）を、ローカル・エリア・ネットワーク用にＷｉＦｉを、及びヘッドセット用にブルートゥースを採用できる。スマートフォンからのＬＴＥ送信は、ブルートゥース及びＷｉＦｉ着信信号との隣接チャネル干渉を引き起こすであろう。同様に、スマートフォンからのブルートゥース及びＷｉＦｉ送信は、ＬＴＥ着信信号との隣接チャネル干渉を引き起こすであろう。この隣接チャネル干渉は、スマートフォンにおいてだけでなく、接続されたＭＷＳ基地局においても、性能を著しく低下させる可能性がある。
【発明の概要】
【課題を解決するための手段】
【０００４】
総体的に、１つの態様において、１つの実施形態は、複数の周波数領域の１つを選択するように構成されるコントローラと、コントローラによって選択された複数の周波数領域の１つ内の第１の無線信号を、第１のプロトコルに従って送信するように構成されるトランスミッタであって、各周波数領域は、トランスミッタがそれぞれの周波数領域内の第１の無線信号を送信するのに応答して生成される不要な干渉のそれぞれのタイプによって特徴づけられる、トランスミッタと、を備える第１のトランシーバと、コントローラによって選択された複数の周波数領域の１つに基づいて１つ以上の周波数チャネルを選択するように構成されるアービタと、アービタによって選択された１つ以上の周波数チャネル内のみの第２の無線信号を、第２のプロトコルに従って送受信するように構成される第２のトランシーバと、を含む装置を特徴とする。
【０００５】
本装置の実施形態は、次の特徴の１つ以上を含むことができる。幾つかの実施形態では、第１のプロトコルはモバイル無線規格（ＭＷＳ）プロトコルであり、且つ、第２のプロトコルは工業・科学・医療（ＩＳＭ）帯域プロトコルである。幾つかの実施形態では、第１のプロトコルは工業・科学・医療（ＩＳＭ）帯域プロトコルであり、且つ、第２のプロトコルはモバイル無線規格（ＭＷＳ）プロトコルである。幾つかの実施形態では、第１のプロトコル及び第２のプロトコルの各々は、工業・科学・医療（ＩＳＭ）帯域プロトコルである。幾つかの実施形態では、コントローラは、更に、情報信号を提供するように構成され、ここで、情報信号は、コントローラによって選択された複数の周波数領域の１つを示し、且つ、アービタは、更に、コントローラによって提供された情報信号に基づいて、１つ以上の周波数チャネルを選択するように構成される。幾つかの実施形態では、不要な干渉のタイプは、スプリアス放射及び帯域外放射を含む。幾つかの実施形態は、本装置を含む１つ以上の集積回路を含む。幾つかの実施形態は、本装置を含む電子通信デバイスを含む。
【０００６】
総体的に、１つの態様において、１つの実施形態は、電子デバイスのための方法を特徴とし、その方法は、複数の周波数領域の１つを選択するステップであって、各周波数領域は、電子デバイスがそれぞれの周波数領域内の第１の無線信号を送信するのに応答して生成される不要な干渉のそれぞれのタイプによって特徴づけられる、ステップと、複数の周波数領域の１つ内の第１の無線信号を、第１のプロトコルに従って送信するステップと、コントローラによって選択された複数の周波数領域の１つに基づいて、１つ以上の周波数チャネルを選択するステップと、１つ以上の周波数チャネル内のみの第２の無線信号を、第２のプロトコルに従って送受信するステップと、を含む。
【０００７】
本方法の実施形態は、次の特徴の１つ以上を含むことができる。幾つかの実施形態では、第１のプロトコルはモバイル無線規格（ＭＷＳ）プロトコルであり、且つ、第２のプロトコルは工業・科学・医療（ＩＳＭ）帯域プロトコルである。幾つかの実施形態では、第１のプロトコルは工業・科学・医療（ＩＳＭ）帯域プロトコルであり、且つ、第２のプロトコルはモバイル無線規格（ＭＷＳ）プロトコルである。幾つかの実施形態では、第１のプロトコル及び第２のプロトコルの各々は、工業・科学・医療（ＩＳＭ）帯域プロトコルである。幾つかの実施形態は、情報信号を提供するステップであって、情報信号は複数の周波数領域の１つを示す、ステップと、情報信号に基づいて１つ以上の周波数チャネルを選択するステップと、を含む。幾つかの実施形態では、不要な干渉のタイプは、スプリアス放射及び帯域外放射を含む。
【０００８】
総体的に、１つの態様において、１つの実施形態は、電子デバイス内のコンピュータによって実行可能な命令を具現化するコンピュータ可読媒体を特徴とし、その命令は、複数の周波数領域の１つを選択するステップであって、各周波数領域は、電子デバイスがそれぞれの周波数領域内の第１の無線信号を送信するのに応答して生成される不要な干渉のそれぞれのタイプによって特徴づけられる、ステップと、複数の周波数領域の１つ内の第１の無線信号を、第１のプロトコルに従って送信するステップと、コントローラによって選択された複数の周波数領域の１つに基づいて、１つ以上の周波数チャネルを選択するステップと、その１つ以上の周波数チャネル内のみの第２の無線信号を、第２のプロトコルに従って送受信するステップと、を含む機能を実行する。
【０００９】
コンピュータ可読媒体の実施形態は、次の特徴の１つ以上を含むことができる。幾つかの実施形態では、第１のプロトコルはモバイル無線規格（ＭＷＳ）プロトコルであり、且つ、第２のプロトコルは工業・科学・医療（ＩＳＭ）帯域プロトコルである。幾つかの実施形態では、第１のプロトコルは工業・科学・医療（ＩＳＭ）帯域プロトコルであり、且つ、第２のプロトコルはモバイル無線規格（ＭＷＳ）プロトコルである。幾つかの実施形態では、第１のプロトコル及び第２のプロトコルの各々は工業・科学・医療（ＩＳＭ）帯域プロトコルである。幾つかの実施形態では、上述の機能は、更に、情報信号を提供するステップであって、情報信号は複数の周波数領域の１つを示す、ステップと、情報信号に基づいて１つ以上の周波数チャネルを選択するステップと、を含む。幾つかの実施形態では、不要な干渉のタイプは、スプリアス放射及び帯域外放射を含む。
【００１０】
１つ以上の実施の詳細は、添付の図面及び以下の説明に記載されている。他の特徴は、説明及び図面から、並びに特許請求の範囲から明らかになるであろう。
【図面の簡単な説明】
【００１１】
【図１】１つの実施形態に係る通信システムの構成要素を示す。
【００１２】
【図２】不要な干渉のタイプに従った周波数領域の選択を視覚的に示す。
【００１３】
【図３】１つの実施形態に係る図１のユーザ機器に対する処理を示し、その実施形態では、アービタが、ＬＴＥデバイスによって使用されたＬＴＥチャネルに基づいて、ＷｉＦｉチャネルをＷｉＦｉ  ＭＡＣに割り当てる。
【００１４】
【図４】１つの実施形態に係る図１のユーザ機器に対する処理を示し、その実施形態では、アービタが、ＷｉＦｉ  ＭＡＣによって使用されたＷｉＦｉチャネルに基づいて、ＬＴＥチャネルをＬＴＥデバイスに割り当てる。
【００１５】
本明細書で使用される各参照番号の先頭桁（群）は、参照番号が最初に現れる図面の番号を示す。
【発明を実施するための形態】
【００１６】
本開示の実施形態は、１つ以上の無線信号によって使用された周波数領域に基づいて、複数の無線通信技術の共存を提供し、各周波数領域は、それぞれの周波数領域内の無線信号の送信によって生成される不要な干渉のそれぞれのタイプによって特徴づけられる。幾つかの場合において、無線通信技術は隣接周波数帯域を使用し、そのために隣接チャネル干渉を引き起こす。例えば、モバイル無線規格（ＭＷＳ）技術によって使用される幾つかの帯域は、工業・科学・医療（ＩＳＭ）周波数帯域に隣接している。他の場合において、干渉は、部分的にまたは完全に重複する周波数帯域を使用する無線通信技術に起因する。例えば、ＷｉＦｉ及びブルートゥースの両方はＩＳＭ周波数帯域を使用する。
【００１７】
図１は、１つの実施形態に係る通信システム１００の構成要素を示す。記載の実施形態において、通信システム１００の構成要素は１つの形態で提示されているが、他の実施形態は他の形態を特徴とすることができる。例えば、通信システム１００の構成要素は、ハードウェア、ソフトウェア、またはそれらの組み合わせで実装することができる。
【００１８】
図１を参照すると、通信システム１００は、複数の無線技術を使用する通信が可能なユーザ機器（ＵＥ:user equipment）１０２を含む。ユーザ機器１０２は、本明細書に記載の機能を実行可能ないかなる種類の電子デバイスとしても実装可能である。例えば、ユーザ機器１０２は、スマートフォン、タブレット・コンピュータ等として実装することができる。ユーザ機器１０２の構成要素は１つ以上の集積回路として実装することができる。
【００１９】
ユーザ機器１０２は、異なる無線技術を採用する複数のトランシーバを含む。図１の例では、トランシーバは、モバイル無線規格（ＭＷＳ）トランシーバ及び工業・科学・医療（ＩＳＭ）帯域トランシーバを含む。他の実施形態では、その代わりに、他の数のトランシーバ及び無線技術の他の組み合わせを採用することができる。例えば、ＭＷＳトランシーバは、ロング・ターム・エボリューション（ＬＴＥ）トランシーバ、マイクロ波アクセスの世界規模相互運用（ＷｉＭＡＸ:Worldwide Interoperability for Microwave Access）トランシーバ等を含むことができ、そしてＩＳＭ帯域トランシーバは、ＷｉＦｉトランシーバ、ブルートゥース・トランシーバ、ＺｉｇＢｅｅ（登録商標）トランシーバ等を含むことができる。トランシーバは、２つのＭＷＳトランシーバまたは２つのＩＳＭトランシーバを含むことができる。ＩＳＭ帯域機器は、全地球測位システム（ＧＰＳ:global positioning system）受信機、周波数変調（ＦＭ:frequency modulation）ラジオ受信機等の受信専用デバイスも含むことができる。
【００２０】
図１の例では、トランシーバは、ＷｉＦｉメディア・アクセス・コントローラ（ＭＡＣ:media access controller）１０４及びＬＴＥデバイス１０８を含む。各トランシーバは、それぞれ、１つ以上のアンテナを使用して通信する。特に、ＷｉＦｉ  ＭＡＣ１０４は１つ以上のアンテナ１１０を使用し、ＬＴＥデバイス１０８は１つ以上のアンテナ１１４を使用する。幾つかの実施形態では、１つ以上のアンテナ１１０、１１４は結合することができる。
【００２１】
ＷｉＦｉ  ＭＡＣ１０４は、レシーバ（ＷｉＦｉ  Ｒｘ）１１６、トランスミッタ（ＷｉＦｉ  Ｔｘ）１１８、及びＷｉＦｉコントローラ１０６を含む。ＬＴＥデバイス１０８は、レシーバ（ＬＴＥ  Ｒｘ）１２０、トランスミッタ（ＬＴＥ  Ｔｘ）１２２、及びＬＴＥコントローラ１１２を含む。ＷｉＦｉ  ＭＡＣ１０４は、無線ＷｉＦｉプロトコル信号１２４（本明細書ではＷｉＦｉ信号１２４とも称される）を送信及び受信するアンテナ１１０を使用する。ＬＴＥデバイス１０８は、無線ＬＴＥプロトコル信号１２６（本明細書ではＬＴＥ信号１２６とも称される）を送信及び受信するアンテナ１１４を使用する。
【００２２】
ユーザ機器１０２もアービタ１２８を含む。アービタ１２８、ＬＴＥコントローラ１１２、及びＷｉＦｉコントローラ１０６は、１つ以上のプロセッサとして実装することができる。様々な実施形態に係るプロセッサは、１つ以上の集積回路として作製することができる。アービタ１２８は、チャネル・マップ１３８を含む。チャネル・マップ１３８は、アービタ１２８の内部メモリ、アービタ１２８の外部のメモリ等に格納することができる。アービタ１２８は、情報信号１３０、１３２をトランシーバ１０４、１０８から受信し、制御信号１３４、１３６をトランシーバ１０４、１０８に提供する。アービタ１２８は、情報信号１３０をＷｉＦＩ  ＭＡＣ１０４から受信し、制御信号１３４をＷｉＦＩ  ＭＡＣ１０４に提供する。アービタ１２８は、情報信号１３２をＬＴＥデバイス１０８から受信し、制御信号１３６をＬＴＥデバイス１０８に提供する。幾つかの実施形態では、情報信号１３０、１３２及び制御信号１３４、１３６の全てが使用されるとは限らない。
【００２３】
情報信号１３０、１３２は、それぞれ、無線信号１２４、１２６によって使用される周波数領域の指標を含む。無線信号１２４、１２６によって使用される周波数領域の指標は、レシーバ１１６、１２０によって受信される無線信号１２４、１２６によって使用される周波数領域の指標、無線信号１２４、１２６を送信するためにトランスミッタ１１８、１２２によって採用され、無線信号１２４、１２６によって使用される周波数領域の指標等を含む。それらの周波数領域は現在の周波数領域のみならず計画した将来の周波数領域も含むことができる。
【００２４】
従来の手法では、指摘した周波数領域は、その周波数領域内の無線信号の送信によって生成される不要な干渉のタイプにかかわらず選択される。しかしながら、マルチ・トランシーバ・デバイス内の１つのトランシーバによって生成される異なるタイプの不要な干渉は、異なる程度に、マルチ・トランシーバ・デバイス内の他のレシーバのチャネルに影響を与える。本開示は、２つのタイプの不要な干渉、すなわち、スプリアス放射及び帯域外放射を考慮する。しかしながら、本明細書に記載の方式は、他のタイプの不要な干渉にも容易に拡張されることが理解されよう。
【００２５】
スプリアス放射及び帯域外放射は、所望の信号が送信される周波数チャネルを基準にして定義される。帯域外放射は、変調処理に起因するチャネル帯域幅のすぐ外側の周波数への放射であるが、スプリアス放射を除く。スプリアス放射は、チャネル帯域幅の外側にある周波数への放射であるが、帯域外放射を除く。スプリアス放射は、高調波放射、寄生放射、相互変調成分、及び周波数変換成分を含む。
【００２６】
記載の実施形態によれば、トランシーバの周波数領域は、チャネル内の無線信号の送信によって生成される不要な干渉のタイプに従って選択される。図２は、２０ＭＨｚのＬＴＥチャネル２０２に対してこの選択を視覚的に示す。図２を参照すると、ＬＴＥチャネル２０２は、２つの領域、すなわち、中央領域（領域０）及び端領域（領域１）に分割される。中央領域０はデータ・チャネルに割り当てられる可能性が高く、端領域１は物理アップリンク制御チャネル（ＰＵＣＣＨ:Physical Uplink Control Channel）などの制御チャネルに割り当てられる可能性が高い。ＬＴＥリリース８及び９では、ＰＵＣＣＨ制御チャネルとデータ・チャネルは同時には送信されない。通常、ＬＴＥデータ・チャネルはより多くのデータを伝送するので、ＬＴＥ制御チャネルよりも多くのＬＴＥアップリンク・リソース・ブロックが割り当てられる。例えば、１０ＭＨｚなどのより広いＬＴＥ帯域幅が割り当てられる場合、ＬＴＥ制御チャネルは通常６未満のリソース・ブロックが割り当てられ、一方、ＬＴＥデータ・チャネルは通常１０より多いリソース・ブロックが割り当てられる。その結果、中央領域０は帯域外放射により特徴づけられ、一方、端領域１はスプリアス放射で特徴づけられる。
【００２７】
記載の実施形態は、この違いを、同一の場所に配置されているＷｉＦｉ  ＭＡＣ１０４が利用可能なチャネルの選択の際に採用する。１つの実施形態では、情報信号１３２は、ＬＴＥデバイス１０８によって採用されたＬＴＥ周波数領域をアービタ１２８に通知する。そのＬＴＥ周波数領域に基づいて、アービタ１２８は、ＷｉＦｉ  ＭＡＣ１０４による使用に利用可能な１つ以上のＷｉＦｉ周波数チャネルを選択し、制御信号１３４を使用して、１つ以上の利用可能な周波数チャネルをＷｉＦｉ  ＭＡＣ１０４に通知する。例えば、アービタ１２８はチャネル・マップ１３８を採用し、ＬＴＥデバイス１０８によって採用されたＬＴＥ周波数領域に基づいて、利用可能な１つ以上のＷｉＦｉ周波数チャネルを選択する。マッピングの一例を表１に示す。
【表１】
2014527380.tif 000003
【００２８】
表１を参照すると、不要な干渉のタイプによって特徴づけられるＬＴＥ周波数領域を採用する利点を見ることができる。ＬＴＥ領域０は帯域外放射で特徴づけられ、一方ＬＴＥ領域１はスプリアス放射で特徴づけられる。通常、スプリアス放射は、帯域外放射より広帯域であるので、帯域外放射より多くのＷｉＦｉチャネルに影響をもたらす。従って、ＬＴＥデバイス１０８がＬＴＥ領域１で送信している場合より、ＬＴＥデバイス１０８がＬＴＥ領域０で送信している場合に、より多くのＷｉＦｉチャネルが利用可能である。
【００２９】
同様なマッピングは他の種類のトランシーバに対して使用することができる。例えば、幾つかの実施形態では、ユーザ機器１０２はブルートゥース・トランシーバを含み、アービタ１２８は、チャネル・マップ１３８を採用し、ＬＴＥデバイス１０８によって採用されたＬＴＥ周波数サブ領域に基づいて、利用可能なブルートゥース周波数チャネルを選択する。マッピングの一例を表２に示す。
【表２】
2014527380.tif 000004
【００３０】
幾つかの実施形態では、ＬＴＥ周波数領域は不均一な帯域幅を有するＬＴＥ周波数サブ領域に分割される。ユーザ機器１０２において、１つのトランシーバ内の異なるチャネルは他のトランシーバに対して異なるレベルの干渉を起こす。周波数の観点から、ＬＴＥチャネルがＷｉＦｉチャネルに近いほど、ＬＴＥ送信はＷｉＦｉチャネルにより大きい干渉を起こす。それ故に、幾つかの実施形態では、ＷｉＦｉ帯域により近いＬＴＥサブ領域は、ＷｉＦｉ帯域からより遠いＬＴＥサブ領域より幅が狭い。１つの実施形態では、情報信号１３２は、ＬＴＥデバイス１０８によって採用されたＬＴＥ周波数サブ領域をアービタ１２８に通知する。そのＬＴＥ周波数サブ領域に基づいて、アービタ１２８は、ＷｉＦｉ  ＭＡＣ１０４による使用に利用可能な１つ以上のＷｉＦｉ周波数チャネルを選択し、制御信号１３４を使って、その１つ以上の利用可能な周波数チャネルをＷｉＦｉ  ＭＡＣ１０４に通知する。例えば、アービタ１２８は、チャネル・マップ１３８を採用し、ＬＴＥデバイス１０８によって採用されたＬＴＥ周波数サブ領域に基づいて、１つ以上の利用可能なＷｉＦｉ周波数チャネルを選択する。
【００３１】
幾つかの実施形態では、アービタ１２８は、チャネル・マップ１３８を使用し、上述のようにＷｉＦｉ  ＭＡＣ１０４にチャネルを割り当てる。他の実施形態では、アービタ１２８は、他の方法で、例えば、プログラマブルな閾値または周波数オフセットを使用してＬＴＥ動作領域とＷｉＦｉ動作領域との間に十分な周波数ギャップを付与することによって、チャネルをＷｉＦｉ  ＭＡＣ１０４に割り当てることができる。図２と表１及び２のマッピング及び領域は一例として示されていることに留意されたい。他の実施形態では、異なるマッピング及び領域を特徴とすることができる。
【００３２】
図３は、１つの実施形態に係る図１のユーザ機器１０２の処理３００を示し、その実施形態では、アービタ１２８は、ＬＴＥデバイス１０８によって使われたＬＴＥチャネルに基づいて、ＷｉＦｉチャネルをＷｉＦｉ  ＭＡＣ１０４に割り当てる。記載の実施形態では、処理３００の構成要素は１つの形態で示されているが、他の実施形態では、他の形態を特徴とすることができる。例えば、様々な実施形態では、処理３００の幾つかのまたは全ての構成要素は、異なる順序で、同時に、などのように実行可能である。また、処理３００の幾つかの構成要素は実行しなくても良いし、お互いに直後に実行しなくても良い。更に、処理３００の幾つかのまたは全ての構成要素は、自動的に、すなわち、人の介入なしに実行することができる。
【００３３】
図３を参照すると、３０２において、ＬＴＥコントローラ１１２は、各々が、それぞれの不要な干渉のタイプによって特徴づけられる複数のＬＴＥ周波数領域の１つを選択する。ＬＴＥ周波数領域は、例えば、ＬＴＥ進化型ノードＢ（ｅＮＢまたはｅＮｏｄｅＢ）とも称される基地局によって、ＬＴＥデバイス１０８に割り当てられることが可能である。次いで、３０４において、ＬＴＥデバイス１０８は、選択された周波数領域内の無線信号１２６をＬＴＥプロトコルに従って送信する。
【００３４】
３０６において、ＬＴＥコントローラ１１２は、選択されたＬＴＥ周波数領域をアービタ１２８に通知する。具体的には、ＬＴＥコントローラ１１２は、選択されたＬＴＥ周波数領域を示す情報信号１３２を提供する。例えば、情報信号１３２は、上記の表１に列挙されたＬＴＥ周波数領域ビットを含むことができる。３０８において、情報信号１３２に応答して、アービタ１２８は、例えば、上記のように、情報信号１３２に基づいて、利用可能なＷｉＦｉ周波数チャネルを選択する。３１０において、アービタ１２８は、選択されたＷｉＦｉ周波数チャネルをＷｉＦｉ  ＭＡＣ１０４に通知する。具体的には、アービタ１２８は、選択されたＷｉＦｉ周波数チャネルを示す制御信号１３４を提供する。次に、３１２において、ＷｉＦｉ  ＭＡＣ１０４は、１つ以上の選択されたＷｉＦｉ周波数チャネル上のＷｉＦｉ信号１２４を送受信する。
【００３５】
本明細書に記載の方式は、また、アービタ１２８が、ＷｉＦｉ  ＭＡＣ１０４によって使用されているＷｉＦｉチャネルに基づいて、利用可能なＬＴＥチャネルを選択するために使用することができる。図４は、１つの実施形態に係る図１のユーザ機器１０２の処理４００を示し、その実施形態では、アービタ１２８が、ＷｉＦｉ  ＭＡＣ１０４によって使用されたＷｉＦｉチャネルに基づいて、ＬＴＥチャネルをＬＴＥデバイス１０８に割り当てる。記載の実施形態では、処理４００の構成要素は１つの形態で提示されているが、他の実施形態では、他の形態を特徴とすることができる。例えば、様々の実施形態では、処理４００の幾つかのまたは全ての構成要素は、異なる順序で、同時に、などのように実行可能である。また、処理４００の幾つかの構成要素は、実行しなくても良いし、お互いに直後に実行しなくても良い。更に、処理４００の幾つかのまたは全ての構成要素は、自動的に、すなわち、人の介入なしに実行することができる。
【００３６】
図４を参照すると、４０２において、ＷｉＦｉコントローラ１０６は、各々が、それぞれの不要な干渉のタイプによって特徴づけられる複数のＷｉＦｉ周波数領域の１つを選択する。次いで、４０４において、ＷｉＦｉ  ＭＡＣ１０４は、選択された周波数領域内の無線信号１２４をＷｉＦｉプロトコルに従って送信する。
【００３７】
４０６において、ＷｉＦｉコントローラ１０６は、選択されたＷｉＦｉ周波数領域をアービタ１２８に通知する。具体的には、ＷｉＦｉコントローラ１０６は、選択されたＷｉＦｉ周波数領域を示す情報信号１３０を提供する。４０８において、情報信号１３０に応答して、アービタ１２８は、情報信号１３０に基づいて、例えば、上記に記載した、利用可能なＷｉＦｉチャネルの選択の方法と同様な方法で、利用可能なＬＴＥ周波数チャネルを選択する。４１０において、アービタ１２８は、選択されたＬＴＥ周波数チャネルをＬＴＥデバイス１０８に通知する。具体的には、アービタ１２８は、選択されたＬＴＥ周波数チャネルを示す制御信号１３６を提供する。次いで、４１２において、ＬＴＥデバイス１０８は、１つ以上の選択されたＬＴＥ周波数チャネル上のＬＴＥ信号１２６を送受信する。
【００３８】
様々な実施形態では、次の利点の１つ以上を特徴とする。ＬＴＥ基地局の観点から、ダウンリンク・リソースは、ユーザ機器１０２からのＷｉＦｉ送信との潜在的に高い干渉に起因する不成功の処理に関与することから免れる。従って、ダウンリンク・リソースは、他のユーザ機器１０２のために使用可能となり、基地局にとって、より良いリソース利用効率をもたらす。ユーザ機器１０２内のＷｉＦｉデバイスの観点から、ＷｉＦｉ受信リソースは、ＬＴＥアップリンク・パケットとの潜在的に高い干渉に起因する不成功の受信処理から免れる。これらの利点は、既存の３ＧＰＰ  ＬＴＥ規格を変更することなく達成されることに留意されたい。
【００３９】
本開示の様々な実施形態は、デジタル電子回路で、またはコンピュータのハードウェア、ファームウェア、ソフトウェア、もしくはそれらの組み合わせで実装することができる。本開示の実施形態は、プログラマブル・プロセッサにより実行される、コンピュータ可読記憶デバイスに実体的に具現化されるコンピュータ・プログラム製品で実施することができる。記載の処理は、入力データに作用し、出力データを生成することによって機能を実行する命令のプログラムを実行するプログラマブル・プロセッサにより実行することが可能である。本開示の実施形態は、データ記憶システムからデータ及び命令を受信するとともにデータ記憶システムへデータ及び命令を送信するように結合された少なくとも１つのプログラマブル・プロセッサ、少なくとも１つの入力デバイス、及び少なくとも１つの出力デバイスを含むプログラマブル・システム上で実行可能な１つ以上のコンピュータ・プログラムで実施することができる。各コンピュータ・プログラムは、必要に応じて、高級手続き型もしくはオブジェクト指向型プログラミング言語、またはアセンブリもしくは機械言語で実施することが可能であり、いずれの場合においても、言語はコンパイル型またはインタープリタ型言語であることが可能である。適切なプロセッサには、例として、汎用及び専用マイクロプロセッサの両方が含まれる。一般的に、プロセッサは、読み出し専用メモリ及び／またはランダム・アクセス・メモリから命令及びデータを受け取る。一般的に、コンピュータは、データ・ファイルを格納するための１つ以上の大容量記憶デバイスを含む。そのようなデバイスは、内蔵ハード・ディスク及び取り外し可能なディスクなどの磁気ディスク、光磁気ディスク、光学ディスク、並びに固体ディスクを含む。コンピュータ・プログラム・命令及びデータを実体的に具現化するのに適する記憶デバイスは、ＥＰＲＯＭ、ＥＥＰＲＯＭ、フラッシュ・メモリ・デバイスなどの半導体メモリ・デバイスを一例として含む全ての形態の不揮発性メモリ、内蔵ハード・ディスク及び取り外し可能なディスクなどの磁気ディスク、光磁気ディスク、並びにＣＤ−ＲＯＭディスクを含む。前述のいずれもＡＳＩＣ（特定用途向け集積回路）で補うことができるし、またはＡＳＩＣに組み込むことができる。
【００４０】
多くの実装が説明された。それにもかかわらず、本開示の範囲から逸脱することなく、様々な改変を行うことができる。従って、他の実装も添付の特許請求の範囲内である。
【図１】
2014527380.tif 000005
【図２】
2014527380.tif 000006
【図３】
2014527380.tif 000007
【図４】
2014527380.tif 000008
【手続補正書】
【提出日】平成26年5月8日(2014.5.8)
【手続補正１】
【補正対象書類名】特許請求の範囲
【補正対象項目名】全文
【補正方法】変更
【補正の内容】
【特許請求の範囲】
【請求項１】
ロング・ターム・エボリューション・チャネルにおいて通信するように構成される第１のトランシーバであって、
前記ロング・ターム・エボリューション・チャネルは、第１の周波数領域、第２の周波数領域、及び第３の周波数領域に分割され、
前記第２の周波数領域は、（ｉ）前記第１の周波数領域及び第３の周波数領域の間にあり、（ｉｉ）前記第１の周波数領域及び第３の周波数領域より広い帯域幅を有し、（ｉｉｉ）ロング・ターム・エボリューション・データ・チャネルを割り当てるために使用され、（ｉＶ）チャネル帯域幅外の周波数への帯域外放射により特徴づけられ、
前記第１の周波数領域及び第３の周波数領域は、（ｉ）ロング・ターム・エボリューション制御チャネルを割り当てるために使用され、（ｉｉ）前記チャネル帯域幅外の周波数へのスプリアス放射により特徴づけられ、ここで、前記スプリアス放射は、（ｉ）前記帯域外放射を除き、（ｉｉ）前記帯域外放射に比較して広帯域放射であり、
前記第１の周波数領域、第２の周波数領域、及び第３の周波数領域の１つを選択するように構成されるコントローラと、
前記選択された周波数領域内の第１の無線信号を、第１のプロトコルに従って送信するように構成されるトランスミッタと、
を有する前記第１のトランシーバと、
前記選択された周波数領域に基づいて、（ｉ）前記第２の周波数領域、または（ｉｉ）前記第１の周波数領域及び第３の周波数領域内の１つ以上の周波数チャネルを選択するように構成されるアービタと、
前記アービタによって選択された前記１つ以上の周波数チャネル内のみの第２の無線信号を、第２のプロトコルに従って送受信するように構成される第２のトランシーバと、
を備える装置。
【請求項２】
前記第１のプロトコルはモバイル無線規格（ＭＷＳ）プロトコルであり、
前記第２のプロトコルは工業・科学・医療（ＩＳＭ）帯域プロトコルである、
請求項１に記載の装置。
【請求項３】
前記第１のプロトコルは工業・科学・医療（ＩＳＭ）帯域プロトコルであり、
前記第２のプロトコルはモバイル無線規格（ＭＷＳ）プロトコルである、
請求項１に記載の装置。
【請求項４】
前記第１のプロトコル及び前記第２のプロトコルの各々は工業・科学・医療（ＩＳＭ）帯域プロトコルである、
請求項１に記載の装置。
【請求項５】
前記コントローラは、前記選択された周波数領域を示す情報信号を提供するように更に構成され、
前記アービタは、前記コントローラによって提供された前記情報信号に基づいて、前記１つ以上の周波数チャネルを選択するように更に構成される、
請求項１から請求項４のいずれか１つに記載の装置。
【請求項６】
請求項１から請求項５のいずれか１つに記載の装置を備える１つ以上の集積回路。
【請求項７】
請求項１から請求項５のいずれか１つに記載の装置を備える電子通信デバイス。
【請求項８】
電子デバイスのための方法であって、
ロング・ターム・エボリューション・チャネルを第１の周波数領域、第２の周波数領域、及び第３の周波数領域に分割するステップであって、
前記第２の周波数領域は、（ｉ）前記第１の周波数領域及び第３の周波数領域の間にあり、（ｉｉ）前記第１の周波数領域及び第３の周波数領域より広い帯域幅を有し、（ｉｉｉ）ロング・ターム・エボリューション・データ・チャネルを割り当てるために使用され、（ｉｖ）チャネル帯域幅外の周波数への帯域外放射により特徴づけられ、
前記第１の周波数領域及び第３の周波数領域は、（ｉ）ロング・ターム・エボリューション制御チャネルを割り当てるために使用され、（ｉｉ）前記チャネル帯域幅外の周波数へのスプリアス放射により特徴づけられ、ここで、前記スプリアス放射は、（ｉ）前記帯域外放射を除き、且つ（ｉｉ）前記帯域外放射に比較して広帯域放射である、ステップと、
前記第１の周波数領域、第２の周波数領域、及び第３の周波数領域の１つを選択するステップと、
前記選択された周波数領域内の第１の無線信号を、第１のプロトコルに従って送信するステップと、
前記選択された周波数領域に基づいて、（ｉ）前記第２の周波数領域、または（ｉｉ）前記第１の周波数領域及び第３の周波数領域内の１つ以上の周波数チャネルを選択するステップと、
前記１つ以上の周波数チャネル内のみの第２の無線信号を、第２のプロトコルに従って送受信するステップと、
を備える方法。
【請求項９】
前記第１のプロトコルはモバイル無線規格（ＭＷＳ）プロトコルであり、
前記第２のプロトコルは工業・科学・医療（ＩＳＭ）帯域プロトコルである、
請求項８に記載の方法。
【請求項１０】
前記第１のプロトコルは工業・科学・医療（ＩＳＭ）帯域プロトコルであり、
前記第２のプロトコルはモバイル無線規格（ＭＷＳ）プロトコルである、
請求項８に記載の方法。
【請求項１１】
前記第１のプロトコル及び前記第２のプロトコルの各々は工業・科学・医療（ＩＳＭ）帯域プロトコルである、
請求項８に記載の方法。
【請求項１２】
前記選択された周波数領域を示す情報信号を提供するステップと、
前記情報信号に基づいて、前記１つ以上の周波数チャネルを選択するステップと、
を更に備える請求項８から請求項１１のいずれか１つに記載の方法。
【請求項１３】
電子デバイス内のコンピュータに、
ロング・ターム・エボリューション・チャネルを第１の周波数領域、第２の周波数領域、及び第３の周波数領域に分割するステップであって、
前記第２の周波数領域は、（ｉ）前記第１の周波数領域及び第３の周波数領域の間にあり、（ｉｉ）前記第１の周波数領域及び第３の周波数領域より広い帯域幅を有し、（ｉｉｉ）ロング・ターム・エボリューション・データ・チャネルを割り当てるために使用され、（ｉｖ）チャネル帯域幅外の周波数への帯域外放射により特徴づけられ、
前記第１の周波数領域及び第３の周波数領域は、（ｉ）ロング・ターム・エボリューション制御チャネルを割り当てるために使用され、（ｉｉ）前記チャネル帯域幅外の周波数へのスプリアス放射により特徴づけられ、ここで、前記スプリアス放射は、（ｉ）前記帯域外放射を除き、（ｉｉ）前記帯域外放射に比較して広帯域放射である、ステップと、
前記第１の周波数領域、第２の周波数領域、及び第３の周波数領域の１つを選択するステップと、
前記選択された周波数領域内の第１の無線信号を、第１のプロトコルに従って送信するステップと、
前記選択された周波数領域に基づいて、（ｉ）前記第２の周波数領域、または（ｉｉ）前記第１の周波数領域及び第３の周波数領域内の１つ以上の周波数チャネルを選択するステップと、
前記１つ以上の周波数チャネル内のみの第２の無線信号を、第２のプロトコルに従って送受信するステップと、
を実行させるためのプログラム。
【請求項１４】
前記第１のプロトコルはモバイル無線規格（ＭＷＳ）プロトコルであり、
前記第２のプロトコルは工業・科学・医療（ＩＳＭ）帯域プロトコルである、
請求項１３に記載のプログラム。
【請求項１５】
前記第１のプロトコルは工業・科学・医療（ＩＳＭ）帯域プロトコルであり、
前記第２のプロトコルはモバイル無線規格（ＭＷＳ）プロトコルである、
請求項１３に記載のプログラム。
【請求項１６】
前記第１のプロトコル及び前記第２のプロトコルの各々は工業・科学・医療（ＩＳＭ）帯域プロトコルである、
請求項１３に記載のプログラム。
【請求項１７】
前記選択された周波数領域を示す情報信号を提供するステップと、
前記情報信号に基づいて、前記１つ以上の周波数チャネルを選択するステップと、
を更に前記コンピュータに実行させる、請求項１３から請求項１６のいずれか１つに記載のプログラム。
【手続補正２】
【補正対象書類名】明細書
【補正対象項目名】００４０
【補正方法】変更
【補正の内容】
【００４０】
多くの実装が説明された。それにもかかわらず、本開示の範囲から逸脱することなく、様々な改変を行うことができる。従って、他の実装も添付の特許請求の範囲内である。
［項目１］
複数の周波数領域の１つを選択するように構成されるコントローラと、
上記コントローラによって選択された上記複数の周波数領域の上記１つ内の第１の無線信号を、第１のプロトコルに従って送信するように構成されるトランスミッタであって、各周波数領域は、上記トランスミッタがそれぞれの周波数領域内の上記第１の無線信号を送信するのに応答して生成される不要な干渉のそれぞれのタイプによって特徴づけられる、トランスミッタと、
を備える第１のトランシーバと、
上記コントローラによって選択された上記複数の周波数領域の上記１つに基づいて、１つ以上の周波数チャネルを選択するように構成されるアービタと、
上記アービタによって選択された上記１つ以上の周波数チャネル内のみの第２の無線信号を、第２のプロトコルに従って送受信するように構成される第２のトランシーバと、
を備える装置。
［項目２］
上記第１のプロトコルはモバイル無線規格（ＭＷＳ）プロトコルであり、
上記第２のプロトコルは工業・科学・医療（ＩＳＭ）帯域プロトコルである、
項目１に記載の装置。
［項目３］
上記第１のプロトコルは工業・科学・医療（ＩＳＭ）帯域プロトコルであり、
上記第２のプロトコルはモバイル無線規格（ＭＷＳ）プロトコルである、
項目１に記載の装置。
［項目４］
上記第１のプロトコル及び上記第２のプロトコルの各々は工業・科学・医療（ＩＳＭ）帯域プロトコルである、
項目１に記載の装置。
［項目５］
上記コントローラは、上記コントローラによって選択された上記複数の周波数領域の上記１つを示す情報信号を提供するように更に構成され、
上記アービタは、上記コントローラによって提供された上記情報信号に基づいて、上記１つ以上の周波数チャネルを選択するように更に構成される、
項目１に記載の装置。
［項目６］
上記不要な干渉のタイプは、
スプリアス放射と、
帯域外放射と、
を備える、項目１に記載の装置。
［項目７］
項目１に記載の装置を備える１つ以上の集積回路。
［項目８］
項目１に記載の装置を備える電子通信デバイス。
［項目９］
電子デバイスのための方法であって、
複数の周波数領域の１つを選択するステップであって、各周波数領域は、上記電子デバイスがそれぞれの周波数領域内の第１の無線信号を送信するのに応答して生成される不要な干渉のそれぞれのタイプによって特徴づけられる、ステップと、
上記複数の周波数領域の上記１つ内の上記第１の無線信号を、第１のプロトコルに従って送信するステップと、
上記コントローラによって選択された上記複数の周波数領域の上記１つに基づいて、１つ以上の周波数チャネルを選択するステップと、
上記１つ以上の周波数チャネル内のみの第２の無線信号を、第２のプロトコルに従って送受信するステップと、
を備える方法。
［項目１０］
上記第１のプロトコルはモバイル無線規格（ＭＷＳ）プロトコルであり、
上記第２のプロトコルは工業・科学・医療（ＩＳＭ）帯域プロトコルである、
項目９に記載の方法。
［項目１１］
上記第１のプロトコルは工業・科学・医療（ＩＳＭ）帯域プロトコルであり、
上記第２のプロトコルはモバイル無線規格（ＭＷＳ）プロトコルである、
項目９に記載の方法。
［項目１２］
上記第１のプロトコル及び上記第２のプロトコルの各々は工業・科学・医療（ＩＳＭ）帯域プロトコルである、
項目９に記載の方法。
［項目１３］
上記複数の周波数領域の上記１つを示す情報信号を提供するステップと、
上記情報信号に基づいて、上記１つ以上の周波数チャネルを選択するステップと、
を更に備える、項目９に記載の方法。
［項目１４］
上記不要な干渉のタイプは、
スプリアス放射と、
帯域外放射と、
を備える、項目９に記載の方法。
［項目１５］
電子デバイス内のコンピュータによって実行可能な命令を具現化するコンピュータ可読媒体であって、上記命令は
複数の周波数領域の１つを選択するステップであって、各周波数領域は、上記電子デバイスがそれぞれの周波数領域内の第１の無線信号を送信するのに応答して生成される不要な干渉のそれぞれのタイプによって特徴づけられる、ステップと、
上記複数の周波数領域の上記１つ内の上記第１の無線信号を、第１のプロトコルに従って送信するステップと、
上記コントローラによって選択された上記複数の周波数領域の上記１つに基づいて、１つ以上の周波数チャネルを選択するステップと、
上記１つ以上の周波数チャネル内のみの第２の無線信号を、第２のプロトコルに従って送受信するステップと、
を備える機能を実行する、コンピュータ可読媒体。
［項目１６］
上記第１のプロトコルはモバイル無線規格（ＭＷＳ）プロトコルであり、
上記第２のプロトコルは工業・科学・医療（ＩＳＭ）帯域プロトコルである、
項目１５に記載のコンピュータ可読媒体。
［項目１７］
上記第１のプロトコルは工業・科学・医療（ＩＳＭ）帯域プロトコルであり、
上記第２のプロトコルはモバイル無線規格（ＭＷＳ）プロトコルである、
項目１５に記載のコンピュータ可読媒体。
［項目１８］
上記第１のプロトコル及び上記第２のプロトコルの各々は工業・科学・医療（ＩＳＭ）帯域プロトコルである、
項目１５に記載のコンピュータ可読媒体。
［項目１９］
上記機能は、
上記複数の周波数領域の上記１つを示す情報信号を提供するステップと、
上記情報信号に基づいて、上記１つ以上の周波数チャネルを選択するステップと、
を更に備える、項目１５に記載のコンピュータ可読媒体。
［項目２０］
上記不要な干渉のタイプは、
スプリアス放射と、
帯域外放射と、
を備える、項目１５に記載のコンピュータ可読媒体。
【国際調査報告】
2014527380.tif 000009
2014527380.tif 000010
2014527380.tif 000011